(57)【要約】【課題】広範囲なコンクリート打設現場において一時的に所定の打設範囲を仕切る際、様々な大きさや形状の仕切り範囲に適宜に対応することができるとともに、コンクリート打設範囲内に鉄筋や配電ボックス等があっても脚をこれらに干渉させないで済むコンクリートストッパーの提供。【解決手段】コンクリート打設現場において一時的に所定の打設範囲を仕切るために用いられる柵であって、相互に重ね合わされた帯状の軟質合成樹脂シートをその長手方向に相互に間隔をあけて複数箇所で互いに固着してなる脚連結用部材と、この脚連結用部材において隣り合う前記固着箇所の間に形成される差込部に挿脱自在に挿入される脚と、からなることを特徴とする。【選択図】　図１
2004124683.tif 000002
【特許請求の範囲】
【請求項１】
コンクリート打設現場において一時的に所定の打設範囲を仕切るために用いられる柵であって、相互に重ね合わされた帯状の軟質合成樹脂シートをその長手方向に相互に間隔をあけて複数箇所で互いに固着してなる脚連結用部材と、この脚連結用部材において隣り合う前記固着箇所の間に形成される差込部に挿脱自在に挿入される脚と、からなることを特徴とするコンクリートストッパー。
【請求項２】
コンクリート打設現場において一時的に所定の打設範囲を仕切るために用いられる柵であって、両端に筒状の接続部を有しこの接続部において互いを略直線的に接続することが可能な複数本の棒状の脚連結用部材と、この脚連結用部材によって相互に略平行となるように連結される複数本の脚とからなり、前記脚連結用部材は、その軸長方向に相互に間隔をあけて形成され且つその軸直角方向に貫通する複数の差込孔を有し、前記接続部は前記脚連結用部材の端部にある前記差込孔を形成し、前記脚は前記各差込孔に挿脱自在に挿入され、前記接続部の差込孔を隣の脚連結用部材の接続部の差込孔と重合一致させ、この重合一致された２つの差込孔に前記脚を挿入することにより前記脚連結用部材同士の接続がなされることを特徴とするコンクリートストッパー。
【請求項３】
前記脚連結用部材は、非可撓性となる厚みと高さを持ち且つ複数の前記差込孔が形成された本体と、この本体の両端に可撓性の薄板片を介してそれぞれ一体的に接続され且つ非可撓性となる厚みと高さを持つ筒状の前記接続部とからなり、前記薄板片は、一側縁が前記本体に接続され該一側縁と対向する他側縁が前記接続部に接続され、この薄板片で前記脚連結用部材が屈曲可能とされていることを特徴とする請求項２に記載のコンクリートストッパー。
【請求項４】
前記脚の一端部には抜止め部が形成され、この抜止め部は、前記脚が前記差込部或いは差込孔から該脚の他端部側へ抜け落ちるのを防止することを特徴とする請求項１又は２に記載のコンクリートストッパー。
【請求項５】
前記脚には、その長手方向に沿って並ぶ打設レベル測定用目盛が設けられていることを特徴とする請求項１又は２に記載のコンクリートストッパー。
【請求項６】
前記脚が長板状に形成されていることを特徴とする請求項１又は２に記載のコンクリートストッパー。
【請求項７】
前記脚の長手方向中途部には、該脚を前記差込部に挿入した状態でこの差込部の一方の開口端に当接可能な第１の位置決め用突起と、該脚を前記差込部に挿入した状態でこの差込部の他方の開口端に当接可能な第２の位置決め用突起とが設けられ、これら第１の位置決め用突起と第２の位置決め用突起の間隔は前記差込部の一方の開口端と他方の開口端の間隔に略等しく設定され、前記差込部はこれら位置決め用突起の間で挟持可能とされ、この挟持の際、差込部は所定の高さに位置決めされることを特徴とする請求項１に記載のコンクリートストッパー。
【請求項８】
前記脚の長手方向中途部には、該脚を前記差込孔に挿入した状態でこの差込孔の一方の開口端に当接可能な第１の位置決め用突起と、該脚を前記差込孔に挿入した状態でこの差込孔の他方の開口端に当接可能な第２の位置決め用突起とが設けられ、これら第１の位置決め用突起と第２の位置決め用突起の間隔は前記差込孔の一方の開口端と他方の開口端の間隔に略等しく設定され、前記差込孔はこれら位置決め用突起の間で挟持可能とされ、この挟持の際、差込孔は所定の高さに位置決めされることを特徴とする請求項２に記載のコンクリートストッパー。
【請求項９】
コンクリート打設現場において一時的に所定の打設範囲を仕切るために用いられる柵であって、両端に接続部を有しこの接続部において互いを略直線的に接続することが可能な複数本の棒状の脚連結用部材と、この脚連結用部材によって相互に略平行となるように連結される複数本の脚とからなり、前記脚連結用部材は、その軸長方向に相互に間隔をあけて形成され且つその軸直角方向に貫通する複数の差込孔を有し、前記脚は前記差込孔に挿脱自在に挿入され、前記接続部を隣の脚連結用部材の接続部と重合一致させ、この重合一致された２つの接続部を回動自在に接合することにより前記脚連結用部材同士が回動自在に接続されることを特徴とするコンクリートストッパー。
【請求項１０】
前記接続部同士の接合が、ピン接合であることを特徴とする請求項９に記載のコンクリートストッパー。
【請求項１１】
前記脚連結用部材を、前記脚に沿った方向に複数段に設け、脚を該複数段の脚連結用部材で連結したことを特徴とする請求項１、２、又は９に記載のコンクリートストッパー。
【発明の詳細な説明】
【０００１】
【発明の属する技術分野】
本発明は、コンクリートストッパーに関し、より詳しくは、広範囲なコンクリート打設現場において一時的に所定の打設範囲を仕切る際、様々な大きさや形状の仕切り範囲に適宜に対応することができるとともに、コンクリート打設範囲内に鉄筋や配電ボックス等があっても脚をこれらに干渉させないで済むコンクリートストッパーに関する。
【０００２】
【従来の技術】
広範囲なコンクリート打設現場において一時的に所定の打設範囲を仕切り、その仕切った範囲からコンクリートが流出するのを防止する仮設部材として、従来より、いくつかのコンクリートストッパーが提案されている。
特公昭６２−４３０２７号公報（特許文献１）に開示されているコンクリートストッパーは、細長い板状の主体の下端縁に多数の脚を相互に間隔をあけて櫛歯状に並設したものである。
このコンクリートストッパーは、その脚が鉄筋を跨ぐように立設される。
【０００３】
実公平７−５６４５１号公報（特許文献２）に開示されているコンクリート打継柵は、長尺体の長手方向中央より上方側に偏らせて設けた紐を連結手段として多数の長尺体を平行に並設することにより形成され、前記連結手段より下方側の相隣り合う長尺体間を拡開可能としたものである。
このコンクリート打継柵は、鉄筋が位置している箇所では長尺体同士の間隔を広げ、その隙間に鉄筋を挿入するようにして立設される。
【０００４】
実用新案登録第３０１６７８３号公報（特許文献３）に開示されているコンクリートせき止め具は、上下辺の長手方向に沿って一対の透孔を複数穿設した支持体と、それら上下一対の透孔に沿って上下に進退可能に装設した支持脚とからなり、少なくとも２つ以上のせき止め具本体を略１８０度回動自在に連設したものである。支持体は、鋼等の硬い素材から構成されている。
このコンクリートせき止め具は、支持脚が鉄筋を跨ぐように立設される。尚、鉄筋の間隔が不均一であるため一部の鉄筋に支持脚が干渉する場合や、配電ボックス等があってこのボックス等に支持脚が干渉する場合には、その支持脚を上向きにスライドさせ、鉄筋や配電ボックス等の上に支持脚が位置するように立設される。
【０００５】
【特許文献１】
特公昭６２−４３０２７号公報
【特許文献２】
実公平７−５６４５１号公報
【特許文献３】
実用新案登録第３０１６７８３号公報
【０００６】
【発明が解決しようとする課題】
しかしながら、上記した従来のものは、以下のような問題を抱えていた。
特公昭６２−４３０２７号公報に開示されているコンクリートストッパーは、全ての脚が主体に固定されたものであったため、脚が鉄筋等に干渉する場合には、脚を切断しなければならず、工期を長引かせる一因となっていた。また、脚を切断されたコンクリートストッパーを他の現場で使用した場合、その歯抜けとなった部分からコンクリートが流出するので、再利用率が低くなるという問題があった。
【０００７】
実公平７−５６４５１号公報に開示されているコンクリート打継柵は、長尺体同士の間隔を広げることによって鉄筋等の比較的細いものを跨ぐことはできたが、配電ボックス等の大きなものを跨ぐことはできなかった。また、紐で相互に連結されている長尺体は、必要に応じて上下に移動させることができなかった。このため、配電ボックス等の大きなものがコンクリート打設範囲内に存在するときは、使用することが難しかった。
【０００８】
実用新案登録第３０１６７８３号公報に開示されているコンクリートせき止め具は、必要に応じて脚を上下にスライド移動させることができたが、支持体が硬い素材から構成されているため、この支持体を必要に応じて切断し、或いは曲げることができなかった。従って、仕切り範囲の大きさや形状に適宜に対応することが難しかった。
【０００９】
本発明は、このような実情に鑑みてなされたもので、広範囲なコンクリート打設現場において一時的に所定の打設範囲を仕切る際、様々な大きさや形状の仕切り範囲に適宜に対応できるとともに、鉄筋や配電ボックス等があっても脚をこれらに干渉させないで済むコンクリートストッパーの提供を目的とする。
【００１０】
【課題を解決するための手段】
請求項１記載の発明は、コンクリート打設現場において一時的に所定の打設範囲を仕切るために用いられる柵であって、相互に重ね合わされた帯状の軟質合成樹脂シートをその長手方向に相互に間隔をあけて複数箇所で互いに固着してなる脚連結用部材と、この脚連結用部材において隣り合う前記固着箇所の間に形成される差込部に挿脱自在に挿入される脚と、からなることを特徴とするコンクリートストッパーである。
【００１１】
請求項２記載の発明は、コンクリート打設現場において一時的に所定の打設範囲を仕切るために用いられる柵であって、両端に筒状の接続部を有しこの接続部において互いを略直線的に接続することが可能な複数本の棒状の脚連結用部材と、この脚連結用部材によって相互に略平行となるように連結される複数本の脚とからなり、前記脚連結用部材は、その軸長方向に相互に間隔をあけて形成され且つその軸直角方向に貫通する複数の差込孔を有し、前記接続部は前記脚連結用部材の端部にある前記差込孔を形成し、前記脚は前記各差込孔に挿脱自在に挿入され、前記接続部の差込孔を隣の脚連結用部材の接続部の差込孔と重合一致させ、この重合一致された２つの差込孔に前記脚を挿入することにより前記脚連結用部材同士の接続がなされることを特徴とするコンクリートストッパーである。
【００１２】
請求項３記載の発明は、前記脚連結用部材は、非可撓性となる厚みと高さを持ち且つ複数の前記差込孔が形成された本体と、この本体の両端に可撓性の薄板片を介してそれぞれ一体的に接続され且つ非可撓性となる厚みと高さを持つ筒状の前記接続部とからなり、前記薄板片は、一側縁が前記本体に接続され該一側縁と対向する他側縁が前記接続部に接続され、この薄板片で前記脚連結用部材が屈曲可能とされていることを特徴とする請求項２に記載のコンクリートストッパーである。
【００１３】
請求項４記載の発明は、前記脚の一端部には抜止め部が形成され、この抜止め部は、前記脚が前記差込部或いは差込孔から該脚の他端部側へ抜け落ちるのを防止することを特徴とする請求項１又は２に記載のコンクリートストッパーである。
【００１４】
請求項５記載の発明は、前記脚には、その長手方向に沿って並ぶ打設レベル測定用目盛が設けられていることを特徴とする請求項１又は２に記載のコンクリートストッパーである。
【００１５】
請求項６記載の発明は、前記脚が長板状に形成されていることを特徴とする請求項１又は２に記載のコンクリートストッパーである。
【００１６】
請求項７記載の発明は、前記脚の長手方向中途部には、該脚を前記差込部に挿入した状態でこの差込部の一方の開口端に当接可能な第１の位置決め用突起と、該脚を前記差込部に挿入した状態でこの差込部の他方の開口端に当接可能な第２の位置決め用突起とが設けられ、これら第１の位置決め用突起と第２の位置決め用突起の間隔は前記差込部の一方の開口端と他方の開口端の間隔に略等しく設定され、前記差込部はこれら位置決め用突起の間で挟持可能とされ、この挟持の際、差込部は所定の高さに位置決めされることを特徴とする請求項１に記載のコンクリートストッパーである。
【００１７】
請求項８記載の発明は、前記脚の長手方向中途部には、該脚を前記差込孔に挿入した状態でこの差込孔の一方の開口端に当接可能な第１の位置決め用突起と、該脚を前記差込孔に挿入した状態でこの差込孔の他方の開口端に当接可能な第２の位置決め用突起とが設けられ、これら第１の位置決め用突起と第２の位置決め用突起の間隔は前記差込孔の一方の開口端と他方の開口端の間隔に略等しく設定され、前記差込孔はこれら位置決め用突起の間で挟持可能とされ、この挟持の際、差込孔は所定の高さに位置決めされることを特徴とする請求項２に記載のコンクリートストッパーである。
【００１８】
請求項９記載の発明は、コンクリート打設現場において一時的に所定の打設範囲を仕切るために用いられる柵であって、両端に接続部を有しこの接続部において互いを略直線的に接続することが可能な複数本の棒状の脚連結用部材と、この脚連結用部材によって相互に略平行となるように連結される複数本の脚とからなり、前記脚連結用部材は、その軸長方向に相互に間隔をあけて形成され且つその軸直角方向に貫通する複数の差込孔を有し、前記脚は前記差込孔に挿脱自在に挿入され、前記接続部を隣の脚連結用部材の接続部と重合一致させ、この重合一致された２つの接続部を回動自在に接合することにより前記脚連結用部材同士が回動自在に接続されることを特徴とするコンクリートストッパーである。
【００１９】
請求項１０記載の発明は、前記接続部同士の接合が、ピン接合であることを特徴とする請求項９に記載のコンクリートストッパーである。
【００２０】
請求項１１記載の発明は、前記脚連結用部材を、前記脚に沿った方向に複数段に設け、脚を該複数段の脚連結用部材で連結したことを特徴とする請求項１、２、又は９に記載のコンクリートストッパーである。
これらの発明を提供することにより、上記課題を悉く解決する。
【００２１】
【発明の実施の形態】
本発明の実施形態について、図面を参照しつつ説明する。
図１は、本発明に係るコンクリートストッパー（１）の第１実施形態を示す図であり、（ａ）はその全体正面図、（ｂ）は脚連結用部材を示す上面図、（ｃ）は脚をその下方から見た下面図である。
第１実施形態に係るコンクリートストッパー（１）は、コンクリート打設現場において一時的に所定の打設範囲を仕切るために用いられる柵であって、脚連結用部材（２）と、脚（３）とからなる。
以下、これら構成要素について、詳説する。
【００２２】
脚連結用部材（２）は、相互に重ね合わされた帯状の軟質合成樹脂シート（４）（図１（ｂ）参照）を、その長手方向に相互に間隔をあけて複数箇所で互いに固着してなるものである。図１では、固着箇所を符号（５）で示している。
軟質合成樹脂シート（４）は、可撓性を有し且つはさみやカッターなどの手工具で容易に切断できる硬度と厚さを有するものであれば特に限定はされない。そのような軟質合成樹脂としては、例えば、ポリエチレン、ポリプロピレン、ナイロン、軟質塩化ビニル、フッ素樹脂、ＡＢＳ樹脂、ポリアミド樹脂、酢酸セルロース樹脂、ポリアセタール樹脂等を挙げることができる。
軟質合成樹脂シート（４）は、メッシュ状部材の概念をも含むことができる。
脚連結用部材（２）の帯幅は特に限定はされないが、例えば、５０〜１００ｍｍ、より好ましくは、５０〜７０ｍｍ程度とすることができる。
【００２３】
帯状の軟質合成樹脂シート（４）同士の固着手段は特に限定されないが、例えば、熱融着による固着、接着剤を用いた固着を挙げることができる。固着箇所（５），（５）同士の間隔は特に限定されず、一定間隔、不定間隔のいずれであってもよい。
【００２４】
脚連結用部材（２）には、隣り合う固着箇所（５），（５）の間に差込部（６）が形成される。差込部（６）を広げると筒状になる。この筒状部に、挿脱自在に脚（３）を挿入することができる。この差込部（６）は、脚（３）をしっかりと保持できる大きさとされる。脚連結用部材（２）は、差込部（６）の内周面と脚（３）の外周面との間に働く摩擦力によって、脚（３）に対し静止することができる。これらの面の間に働く最大静止摩擦力は、必要に応じて人が差込部（６）の位置をずらすことができる程度の大きさである。
【００２５】
脚（３）は、脚連結用部材（２）において隣り合う固着箇所（５），（５）の間に形成される差込部（６）に挿脱自在に挿入されるものである。各差込部（６）に脚（３）が挿入された状態で、隣り合う脚（３），（３）同士の間隔（ｄ）は、その隙間から生コンクリートが流出しない程度の間隔とされ、例えば、８ｍｍ程度とされる。
【００２６】
脚（３）の材質は、特に限定されるものではないが、生コンクリートが付着しにくい材質であることが好ましく、そのような材質としては、例えば、ポリプロピレンを挙げることができる。脚（３）は、強度確保のために、通常、中実体とされる。
【００２７】
尚、脚（３）は以下のような構成を採ることが望ましい。
例えば、脚（３）の一端部に抜止め部（７）を形成することが好ましい。抜止め部（７）は、脚（３）が差込部（６）から該脚（３）の他端部側（下方側）へ抜け落ちるのを防止することができる。抜止め部（７）は、脚（３）の径を拡径することにより形成することができる（図１（ｃ）参照）。
【００２８】
また、図２に例示する如く、脚（３）に、その長手方向に沿って並ぶ打設レベル測定用目盛（８）を設けることが好ましい。この目盛を設けた場合、コンクリート打設時に他の測定手段を用いなくてもコンクリートのレベルを計ることができ、測定にかかる時間を短縮することができる。
【００２９】
また、脚（３）は長板状に形成されていることが好ましく、特に、脚（３）の軸直角方向の断面形状を長方形状、楕円状、或いは、長方形の両短辺に半円を組み合わせた形状とすることが好ましい。この場合、脚連結用部材（２）の差込部（６）に脚（３）を挿入した際、固着箇所（５），（５）同士を結ぶ方向に断面の長軸を一致させる。すると、脚（３）同士の間隔が同じでも断面積を円断面に比べて小さくすることができ、脚（３）の軽量化を図ることができる。
また、断面の長軸を境とした一方の側面に打設レベル測定用目盛（８）を設けることが好ましい。この場合、目盛の読み取りを楽に行うことができる。
【００３０】
また、図３に例示されるように、脚（３）の長手方向中途部には、脚（３）を差込部（６）に挿入した状態でこの差込部（６）の一方（上側）の開口端に当接可能な第１の位置決め用突起（１０）と、脚（３）を差込部（６）に挿入した状態でこの差込部（６）の他方（下側）の開口端に当接可能な第２の位置決め用突起（１１）とが設けられることが好ましい。
【００３１】
これら第１の位置決め用突起（１０）と第２の位置決め用突起（１１）の間隔は、差込部（６）の一方の開口端と他方の開口端の間隔に略等しく設定される。差込部（６）は、これら位置決め用突起（１０）（１１）の間で挟持可能とされ、この挟持の際、差込部（６）は所定の高さに位置決めされる。
位置決め用突起（１０）（１１）は、軟質合成樹脂シート（４）（４）の一方側に位置される脚（３）の正面、又は、軟質合成樹脂シート（４）（４）の他方側に位置される脚（３）の裏面、のうち少なくともいずれか一方に設けることができる。
このような構成とすることにより、脚（３）に対する差込部（６）の位置決めを容易かつ確実に行うことができ、差込部（６）の落下や位置ずれを確実に防止することができる。
【００３２】
次に、第１実施形態に係るコンクリートストッパー（１）の使用方法について説明する。
鉄筋を配筋した後、まず、この鉄筋に、コンクリートストッパー（１）を支承保持する当て板（図示せず）を取り付けておく。次に、今回のコンクリート打設範囲を囲むことができる長さに脚連結用部材（２）をカットし、この脚連結用部材（２）の各差込部（６）に脚（３）を挿入してコンクリートストッパー（１）を形成し、このコンクリートストッパー（１）を用いて囲い込み作業（仕切り作業）を実施する。
【００３３】
囲い込み作業中に、コンクリートストッパー（１）が鉄筋（９）或いは配電ボックス等に干渉した場合には、干渉する脚（３）を上方へ引き上げ（図４参照）、その鉄筋（９）或いは配電ボックスの上に載せる。鉄筋等が無い所では、脚（３）は鉄筋（９）より下方の床板若しくは底型枠の上に載置される。囲い込み範囲のコーナー部や湾曲部では、脚連結用部材（２）をその形状に合わせて曲げればよい。
【００３４】
囲い込みが終了したら、囲い込んだ範囲に生コンクリートを打設する。生コンクリートは脚（３）によって囲い込み範囲外への流出が阻まれる。
生コンクリートがある程度固まったら、コンクリートストッパー（１）全体を上方へ引き上げ、コンクリートから取り外す。
そして、コンクリートの新たな打ち継ぎ工事があれば、再び同じ作業を繰り返す。
以上のような形で、コンクリートストッパー（１）が使用される。
【００３５】
このコンクリートストッパー（１）によれば、広範囲なコンクリート打設現場において一時的に所定の打設範囲を仕切る際、様々な大きさや形状の仕切り範囲に適宜に対応することができるとともに、コンクリート打設範囲内に鉄筋や配電ボックス等があっても脚をこれらに干渉させないで済む。
また、このコンクリートストッパー（１）を運搬或いは梱包するに当たり、脚連結用部材（２）に脚（３）を取り付けたまま、該ストッパー（１）を折り畳んでコンパクトにすることができる。
【００３６】
図５は、本発明に係るコンクリートストッパー（１）の第２実施形態を示す図である。図６は、このコンクリートストッパーにおける脚連結用部材を示す図であり、（ａ）はその平面図、（ｂ）はその側面図である。
【００３７】
第２実施形態に係るコンクリートストッパー（１）は、第１実施形態と同様コンクリート打設現場において一時的に所定の打設範囲を仕切るために用いられる柵であって、両端部に接続部（１２）を有しこの接続部（１２）において互いを略直線的に接続することが可能な複数本の棒状の脚連結用部材（２）と、この脚連結用部材（２）によって相互に略平行となるように連結される複数本の脚（３）とからなる。
脚連結用部材（２）の材質は特に限定されるものではないが、厚みを大きくすると非可撓性を有し、薄板状にすると可撓性を有する材質とされることが好ましい。そのような素材としては、例えば、ポリエチレンを挙げることができる。
【００３８】
脚連結用部材（２）は、非可撓性となる厚みと高さを持ち且つ複数の差込孔（１５）が形成された本体（１３）と、非可撓性となる厚みと高さを持ち且つ本体（１３）の両端にそれぞれ一体的に接続された接続部（１２）とからなる。接続部（１２）と本体（１３）は通常、可撓性の薄板片（１４）を介して一体的に接続される。この薄板片（１４）は、一側縁が本体（１３）に接続され、該一側縁と対向する他側縁が接続部（１２）に接続されており、該薄板片（１４）で、脚連結用部材（２）が屈曲可能とされている。
１つの筒状周壁（１６）を有する接続部（１２）と、複数の筒状周壁（１６）を有する本体（１３）は、上記した如く共に撓みにくい厚みと高さを有しており、薄板片（１４）に比してかなり大きな剛性を有し、これによって非可撓性を有している。図示例では周壁（１６）の厚みは２．０ｍｍに設定されている。尚、接続部（１２）と本体（１３）を繋ぐ薄板片（１４）に代えて厚板片（図示せず）を設け、そこで容易に屈曲しないようにしてもよい。
脚連結用部材（２）の素材としてポリエチレンを用いる場合、薄板片（１４）の厚みは例えば１．６ｍｍ程度とされ、容易に屈曲しないようにするときには接続部（１２）と本体（１３）を繋ぐ厚板片の厚みは例えば３．０ｍｍとされる。
【００３９】
脚連結用部材（２）は、その軸長方向に相互に間隔をあけて形成され且つその軸直角方向に貫通する複数の差込孔（１５）を有している。脚連結用部材（２）の筒状の接続部（１２）は、該脚連結用部材（２）に形成された複数の差込孔（１５）のうち、該脚連結用部材（２）の端部に位置する差込孔（１５）を形成している。
【００４０】
脚（３）は、これら差込孔（１５）に挿脱自在に挿入される。脚連結用部材（２）の接続部（１２）の差込孔（１５）を隣の脚連結用部材（２）の接続部（１２）の差込孔（１５）と重合一致させ、この重合一致された２つの差込孔（１５）（１５）に脚（３）を挿入することにより、脚連結用部材（２）（２）同士の接続がなされる。
【００４１】
差込孔（１５）を形成する筒状の周壁（１６）は、板状片（１７）を介して隣の周壁（１６）と一体的に接続されている。脚連結用部材（２）の本体（１３）においては、板状片（１７）が屈曲しないようにその厚みが３．０ｍｍ程度とされ、前述の如く厚板片となっている。一方、本体（１３）と接続部（１２）を繋ぐ板状片（１７）すなわち薄板片（１４）は、容易に屈曲できるように厚みが１．６ｍｍ程度とされている。
脚連結用部材（２）の脚挿入方向の高さは、脚連結用部材（２）が該高さ方向に屈曲しないような高さであれば特に限定されないが、本体（１３）においては例えば１０ｍｍ程度とすることができる。接続部（１２）の脚挿入方向の高さは、本体（１３）の脚挿入方向の幅の半分程度とされることが好ましい。これは、一方の脚連結用部材（２）の接続部（１２）と他方の脚連結用部材（２）の接続部（１２）を重ね合わせて脚連結用部材（２）（２）同士を接続したときに、双方の脚連結用部材（２）（２）が一直線に並ぶようにするためである。
【００４２】
差込孔（１５）を形成する周壁（１６）の径（Ｄ１、Ｄ２）は、図７に例示する如く、脚連結用部材（２）の軸直角方向において脚（３）の径（ｄ１）と略同じ（Ｄ１≒ｄ１）に設定される一方、脚連結用部材（２）の軸長方向において脚（３）の径（ｄ２）よりもやや大きく（Ｄ２＞ｄ２）設定される。このような設定とすれば、隣り合う脚（３）（３）同士の間隔を脚連結用部材（２）の下側において拡げることができるとともに、脚（３）が脚連結用部材（２）の軸直角方向に振れないようにすることができる。
尚、この実施形態においては、本体（３）は、その軸長方向において略同一の断面形状（例えば脚の差込方向に長い長方形等の四角形断面）を有する梁状部材（図示せず）に、複数の差込孔を形成したものであってもよい。この場合、隣り合う差込孔の間にくびれた部分がなくなる。
【００４３】
尚、脚（３）の構成は、上記した第１実施形態の場合と同様とすることができる。差込孔（１５）の断面形状は、脚（３）の断面形状に応じて変更することができ、それらの形状は互いに近似の形状とされる。差込孔（１５）を円筒状に形成し、これに挿入される脚（３）を円柱状に形成し、これらを回動自在にはめ合わせれば、脚連結用部材（２）（２）同士を回動自在に接続することができる。この場合、上記した薄板片（１４）は不要となる。
【００４４】
次に、この第２実施形態に係るコンクリートストッパー（１）の使用方法について説明する。
鉄筋を配筋した後、まず、この鉄筋に、コンクリートストッパー（１）を支承保持する当て板（図示せず）を取り付けておく。次に、今回のコンクリート打設範囲を囲むことができる長さに合わせて複数の脚連結用部材（２）を相互接続し、この脚連結用部材（２）の各差込孔（１５）に脚（３）を挿入してコンクリートストッパー（１）を形成し、このコンクリートストッパー（１）を用いて囲い込み作業（仕切り作業）を実施する。
【００４５】
囲い込み作業中に、コンクリートストッパー（１）が鉄筋（９）或いは配電ボックス等に干渉した場合には、干渉する脚（３）を上方へ引き上げ（図５参照）てその鉄筋（９）或いは配電ボックスの上に載せ、又は、脚（３）（３）の下側の間隔を拡げてその拡がった隙間に鉄筋（９）等を入れる。鉄筋等が無い所では、脚（３）は鉄筋（９）より下方の床板若しくは底型枠の上に載置される。脚連結用部材（２）に或る程度の可撓性を持たせておけば、囲い込み範囲のコーナー部や湾曲部では、脚連結用部材（２）をその形状に合わせて曲げることができる。
【００４６】
囲い込みが終了したら、囲い込んだ範囲に生コンクリートを打設する。生コンクリートは脚（３）によって囲い込み範囲外への流出が阻まれる。
生コンクリートがある程度固まったら、コンクリートストッパー（１）全体を上方へ引き上げ、コンクリートから取り外す。
そして、コンクリートの新たな打ち継ぎ工事があれば、再び同じ作業を繰り返す。
以上のような形で、コンクリートストッパー（１）が使用される。
【００４７】
このコンクリートストッパー（１）によれば、広範囲なコンクリート打設現場において一時的に所定の打設範囲を仕切る際、様々な大きさや形状の仕切り範囲に適宜に対応することができるとともに、コンクリート打設範囲内に鉄筋や配電ボックス等があっても脚をこれらに干渉させないで済む。
また、このコンクリートストッパー（１）を運搬或いは梱包するに当たり、脚連結用部材（２）に脚（３）を取り付けたまま、該ストッパー（１）を折り畳んでコンパクトにすることができる。
また、接続部（１２）と本体（１３）は、共に非可撓性を有しているので、囲い込みを行う際、コンクリートストッパー（１）は自立することができ、その囲い込み作業を容易に行うことができる。
【００４８】
図８は、本発明に係るコンクリートストッパーの第３実施形態を示す図である。図９は、このコンクリートストッパーにおける脚連結用部材を示す図であり、（ａ）はその平面図、（ｂ）はその側面図である。図１０は、このコンクリートストッパーを折り畳んだ状態で示す平面図である。尚、図１０では脚の図示を省略している。
第３実施形態に係るコンクリートストッパー（１）が上記第２実施形態と異なる主な点は、脚連結用部材（２）の端部すなわち接続部（１２）の構造と、該脚連結用部材（２）（２）同士の接続構造であり、脚連結用部材（２）の本体（１３）の構造及び脚（３）の構造は第２実施形態と同様とすることができる。本体（１３）は、複数の差込孔（１５）が形成され、非可撓性となる厚みと高さを持つ。接続部（１２）は、この本体（１３）の両端に一体的に接続され、非可撓性となる厚みと高さを持つ。
第３実施形態においては、脚連結用部材（２）の両端部に設けられた２つの接続部（１２）はそれぞれ、隣の脚連結用部材（２）の接続部（１２）と重合一致され、この重合一致された２つの接続部（１２）（１２）は回動自在に接合されている。これにより、脚連結用部材（２）（２）同士が回動自在に接続される。
【００４９】
接続部（１２）（１２）同士の回動自在な接合形態は特に限定されるものではないが、例えば、図８に例示する如く、ピン接合とすることができる。図示例においては、接続部（１２）に、差込孔（１５）と同方向に延びる円筒状のピン挿通孔（１８）が形成されている。このピン挿通孔（１８）を隣の脚連結用部材（２）のピン挿通孔（１８）と重合一致させ、この重合一致された２つのピン挿通孔（１８）（１８）に円柱状のピン（１９）を挿入することにより、脚連結用部材（２）（２）同士が回動自在にピン接合される。
この第３実施形態によれば、複数の脚連結用部材（２）を接続してなるコンクリートストッパー（１）をコンパクトに折り畳むことができる。また、脚連結用部材（２）自体を屈曲する必要がないので、第２実施形態における薄板片（１４）を設ける必要がない。
また、接続部（１２）と本体（１３）は、共に非可撓性を有しているので、囲い込みを行う際、コンクリートストッパー（１）は自立することができ、その囲い込み作業を容易に行うことができる。
【００５０】
尚、この第３実施形態においては、ピン接合に代えて以下の手段を採ることも可能である。
例えば、回動自在に接合される２つの接続部の一方に、図示はしないが、接合用の円柱状凸部を設け、他方に接合用の円筒状の凹部或いは貫通孔を設け、これら凸部と凹部、或いは凸部と貫通孔を回動自在にはめ合ってもよい。
【００５１】
上記した各実施形態において、図示例では脚連結用部材を１段に設けているが、変更例として、脚（３）に沿った方向に脚連結用部材（２）を複数段（例えば２段）に設け、脚（３）を該複数段の脚連結用部材（２）で連結してもよい。
また、各実施形態において、部材の厚みや高さ等の値は上記した例に限定されず、任意に変更することが可能である。
【００５２】
【発明の効果】
本発明に係るコンクリートストッパーによれば、広範囲なコンクリート打設現場において一時的に所定の打設範囲を仕切る際、様々な大きさや形状の仕切り範囲に適宜に対応することができるとともに、コンクリート打設範囲内に鉄筋や配電ボックス等があっても脚をこれらに干渉させないで済む。
【図面の簡単な説明】
【図１】本発明に係るコンクリートストッパーの第１実施形態を示す図であり、（ａ）はその全体正面図、（ｂ）は脚連結用部材を示す上面図、（ｃ）は脚をその下方から見た下面図である。
【図２】打設レベル測定用目盛が設けられた脚を示す正面図である。
【図３】位置決め用突起が設けられた脚を示す図であり、（ａ）はその正面図、（ｂ）はその側面図である。
【図４】第１実施形態に係るコンクリートストッパーの使用状態を示す正面図である。
【図５】本発明に係るコンクリートストッパーの第２実施形態を示す図である。
【図６】第２実施形態における脚連結用部材を示す図であり、（ａ）はその平面図、（ｂ）はその側面図である。
【図７】第２実施形態における脚連結用部材の差込孔の径と脚の径の関係を示す図である。
【図８】本発明に係るコンクリートストッパーの第３実施形態を示す図である。
【図９】第３実施形態に係るコンクリートストッパーの脚連結用部材を示す図であり、（ａ）はその平面図、（ｂ）はその側面図である。
【図１０】第３実施形態に係るコンクリートストッパーを折り畳んだ状態で示す平面図であり、脚の図示は省略している。
【符号の説明】
１・・・・・コンクリートストッパー
２・・・・・脚連結用部材
３・・・・・脚
４・・・・・軟質合成樹脂シート
５・・・・・固着箇所
６・・・・・差込部
７・・・・・抜止め部
８・・・・・レベル測定用目盛
１０・・・・第１の位置決め用突起
１１・・・・第２の位置決め用突起
１２・・・・接続部
１３・・・・本体
１４・・・・薄板片
１５・・・・差込孔
１８・・・・ピン挿通孔
１９・・・・ピン
【図１】
2004124683.tif 000003
【図２】
2004124683.tif 000004
【図３】
2004124683.tif 000005
【図４】
2004124683.tif 000006
【図５】
2004124683.tif 000007
【図６】
2004124683.tif 000008
【図７】
2004124683.tif 000009
【図８】
2004124683.tif 000010
【図９】
2004124683.tif 000011
【図１０】
2004124683.tif 000012